(57)【要約】【課題】折り曲げられている光路上に絞りを配置する場合に、板状部材のみからなる絞りを採用する場合に比べて光路の折り曲げ角度を深くすることが可能となる画像読取光学系、及び画像読取装置を提供すること。【解決手段】第１の方向に複数の読取素子が並ぶ画像読取部８８と、光源からの照射光が読取対象で反射された反射光Ｌを反射する第１の反射型光学系９０と、第１の反射型光学系９０で反射された反射光を画像読取部８８に集光させる第２の反射型光学系９２と、第１の反射型光学系９０で反射された反射光を第１の方向に規制する開口部を有する板状部材であって、開口部の第１の方向の接線に沿うように開口部に対し予め定められた角度で折り曲げられた少なくとも１つの板状片９４ａ、９４ｂを備えた板状部材を含む絞りと、を含む。【選択図】図２
2018006794.tif 000002
【特許請求の範囲】
【請求項１】
第１の方向に複数の読取素子が並ぶ画像読取部と、
光源からの照射光が読取対象で反射された反射光を反射する第１の反射型光学系と、
前記第１の反射型光学系で反射された前記反射光を前記画像読取部に集光させる第２の反射型光学系と、
前記第１の反射型光学系で反射された前記反射光を前記第１の方向に規制する開口部を有する板状部材であって、前記開口部の前記第１の方向の接線に沿うように前記開口部に対し予め定められた角度で折り曲げられた少なくとも１つの板状片を備えた板状部材を含む絞りと、を含む
画像読取光学系。
【請求項２】
前記絞りは、前記板状片によって前記第１の反射型光学系で反射された前記反射光を前記第１の方向と交差する第２の方向に規制する
請求項１に記載の画像読取光学系。
【請求項３】
前記板状片は、前記第１の反射型光学系に入射する第１の折返し光の進行方向と逆方向に折り曲げられ、前記第１の反射型光学系と前記第２の反射型光学系との間の第２の折返し光と前記第１の折返し光との間に配置されるか、又は、前記第２の反射型光学系と前記画像読取部との間の第３の折返し光の進行方向と同方向に折り曲げられ、前記第２の折返し光と前記第３の折返し光との間に配置されている
請求項１又は請求項２に記載の画像読取光学系。
【請求項４】
前記板状片は、前記第１の折返し光と前記第２の折返し光との間に配置されかつ前記第１の折返し光の光束と平行であるか、又は、前記第２の折返し光と前記第３の折返し光との間に配置されかつ前記第３の折返し光の光束と平行である
請求項３に記載の画像読取光学系。
【請求項５】
前記絞りは、前記第１の折返し光と前記第２の折返し光との間に配置された第１の板状片、及び、前記第２の折返し光と前記第３の折返し光との間に配置された第２の板状片を備える
請求項３又は請求項４に記載の画像読取光学系。
【請求項６】
前記第１の板状片と前記第２の板状片とは互いに異なる平面上に配置された
請求項５に記載の画像読取光学系。
【請求項７】
読取対象に光を照射する光源と、
請求項１〜請求項６のいずれか１項に記載の画像読取光学系と、
を含む画像読取装置。
【発明の詳細な説明】
【技術分野】
【０００１】
本発明は、画像読取光学系及び画像読取装置に関する。
【背景技術】
【０００２】
特許文献１には、光源と、結像光学系と、撮像素子部と、メモリと、処理装置とを備え、結像光学系は、それぞれが独立した光学系で原稿側にテレセントリックなセルを主走査方向に複数個配置し副走査方向には２列に配列した画像読取装置において、各セルは、第１反射型集光光学素子、アパーチャ、第２反射型集光光学素子を原稿からこの順に配置し、光路を折り曲げる光学素子として第１反射型集光光学素子及び第２反射型集光光学素子のみを設けた画像読取装置が開示されている。
【先行技術文献】
【特許文献】
【０００３】
【特許文献１】特開２０１２−０５４９１０号公報
【発明の概要】
【発明が解決しようとする課題】
【０００４】
本発明は、折り曲げられている光路上に絞りを配置する場合に、板状部材のみからなる絞りを採用する場合に比べて光路の折り曲げ角度を深くすることが可能となる画像読取光学系、及び画像読取装置を提供することを目的とする。
【課題を解決するための手段】
【０００５】
上記目的を達成するために、請求項１に記載の画像読取光学系は、第１の方向に複数の読取素子が並ぶ画像読取部と、光源からの照射光が読取対象で反射された反射光を反射する第１の反射型光学系と、前記第１の反射型光学系で反射された前記反射光を前記画像読取部に集光させる第２の反射型光学系と、前記第１の反射型光学系で反射された前記反射光を前記第１の方向に規制する開口部を有する板状部材であって、前記開口部の前記第１の方向の接線に沿うように前記開口部に対し予め定められた角度で折り曲げられた少なくとも１つの板状片を備えた板状部材を含む絞りと、を含むものである。
【０００６】
また、請求項２に記載の発明は、請求項１に記載の発明において、前記絞りは、前記板状片によって前記第１の反射型光学系で反射された前記反射光を前記第１の方向と交差する第２の方向に規制するものである。
【０００７】
また、請求項３に記載の発明は、請求項１又は請求項２に記載の発明において、前記板状片は、前記第１の反射型光学系に入射する第１の折返し光の進行方向と逆方向に折り曲げられ、前記第１の反射型光学系と前記第２の反射型光学系との間の第２の折返し光と前記第１の折返し光との間に配置されるか、又は、前記第２の反射型光学系と前記画像読取部との間の第３の折返し光の進行方向と同方向に折り曲げられ、前記第２の折返し光と前記第３の折返し光との間に配置されているものである。
【０００８】
また、請求項４に記載の発明は、請求項３に記載の発明において、前記板状片は、前記第１の折返し光と前記第２の折返し光との間に配置されかつ前記第１の折返し光の光束と平行であるか、又は、前記第２の折返し光と前記第３の折返し光との間に配置されかつ前記第３の折返し光の光束と平行であるものである。
【０００９】
また、請求項５に記載の発明は、請求項３又は請求項４に記載の発明において、前記絞りは、前記第１の折返し光と前記第２の折返し光との間に配置された第１の板状片、及び、前記第２の折返し光と前記第３の折返し光との間に配置された第２の板状片を備えるものである。
【００１０】
また、請求項６に記載の発明は、請求項５に記載の発明において、前記第１の板状片と前記第２の板状片とは互いに異なる平面上に配置されたものである。
【００１１】
上記目的を達成するために、請求項７に記載の画像読取装置は、読取対象に光を照射する光源と、請求項１〜請求項６のいずれか１項に記載の画像読取光学系と、を含むものである。
【発明の効果】
【００１２】
請求項１及び請求項７に記載の発明によれば、折り曲げられている光路上に絞りを配置する場合に、板状部材のみからなる絞りを採用する場合に比べて光路の折り曲げ角度を深くすることが可能となる画像読取光学系、及び画像読取装置が提供される、という効果が得られる。
【００１３】
請求項２に記載の発明によれば、板状片により第２の方向に光を規制しない場合と比較して、光路の折り曲げ角度が深い場合にも絞りの適用が容易になる、という効果が得られる。
【００１４】
請求項３に記載の発明によれば、板状片が、第１の折返し光と第２の折返し光との間、及び、第２の折返し光と第３の折返し光との間のいずれでもない位置に配置された場合と比較して、光路の折り曲げ角度が深い場合にも絞りの適用が容易になる、という効果が得られる。
【００１５】
請求項４に記載の発明によれば、板状片が、第１の折返し光の光束と平行でもなく、第３の折返し光の光束と平行でもない場合と比較して、迷光の遮光壁を兼ねる、という効果が得られる。
【００１６】
請求項５に記載の発明によれば、第１の板状片、及び第２の板状片のいずれか一方のみを備える場合と比較して、迷光の遮光壁としての機能がより確実になる、という効果が得られる。
【００１７】
請求項６に記載の発明によれば、第１の板状片と第２の板状片とが互いに同じ平面上に配置された場合と比較して、焦点深度がより深くなる、という効果が得られる。
【図面の簡単な説明】
【００１８】
【図１】実施の形態に係る画像読取装置の構成の一例を示す概略断面図である。
【図２】実施の形態に係る画像読取光学系の構成の一例を示す概略断面図である。
【図３】実施の形態に係る絞りの形状を説明する図である。
【図４】実施の形態に係る画像読取光学系の構成の一例を示す側面図及び平面図である。
【図５】実施の形態に係る画像読取光学系の変形例を示す概略断面図である。
【図６】比較例に係る画像読取光学系の構成を示す概略断面図である。
【発明を実施するための形態】
【００１９】
以下、図面を参照して、本発明を実施するための形態の一例について詳細に説明する。
【００２０】
図１を参照して、本実施の形態に係る画像読取装置１２について説明する。図１は画像読取装置１２の概略構成を示している。画像読取装置１２は、例えば画像形成装置に付随して設けられ、原稿等（読取対象）を読み取るために使用される。図１に示すように、画像読取装置１２は、自動原稿送り装置５０と、原稿の表面に形成された画像を読み取る画像読取処理部５２と、を備えて構成されている。
【００２１】
本実施の形態に係る自動原稿送り装置５０は、原稿が置かれる原稿台６０と、原稿を搬送する原稿搬送路６１と、画像を読み取った後の原稿が排出される排出台６２と、を含んで構成されている。
【００２２】
原稿搬送路６１は、Ｕ字状に形成され、原稿搬送路６１の周囲には、用紙送出ロール６３、送出ロール６４、プリ位置合わせロール６５、位置合わせロール６６、プラテンロール６７、アウトロール６８、および排出ロール６９が設けられている。用紙送出ロール６３は、原稿送り時に下降し、原稿台６０に置かれた原稿をピックアップする。送出ロール６４は、用紙送出ロール６３から送られた原稿のうち最上部にある原稿を内部に供給する。プリ位置合わせロール６５は、送出ロール６４から送られた原稿を一時停止させ、斜行補正する。位置合わせロール６６は、プリ位置合わせロール６５から送られた原稿を一時停止させ、読み取りタイミングを調整する。プラテンロール６７は、原稿搬送路６１を通る原稿を後述するプラテンガラス７０に対峙させる。アウトロール６８および排出ロール６９は、読み取った原稿を排出台６２へ排出する。
【００２３】
画像読取装置１２は、原稿台６０から自動原稿送り装置５０により送られた原稿の表面を流し読みする機能と、後述するプラテンガラス７０上に置かれた原稿の表面を読み取る機能と、を備えている。
【００２４】
画像読取処理部５２の筐体７５における自動原稿送り装置５０に対向する面には、画像を読み取る原稿が置かれ、また、自動原稿送り装置５０によって搬送中の原稿を読み取るに際し、原稿に光を照射するための開口部となるプラテンガラス７０が設けられている。
また、筐体７５内には、原稿の搬送方向（図１のＹ軸方向）に移動可能とされ、プラテンガラス７０の読取位置Ｍに静止して画像を読み取るか、またはプラテンガラス７０の全体にわたって走査（スキャン）しながら画像を読み取る読取ユニット（キャリッジ）７６が備えられている。
【００２５】
読取ユニット７６は、照明ユニット８０（光源）、結像部８７、及びセンサ８８（画像読取部）を備えている。結像部８７、及びセンサ８８を含んで、本実施の形態に係る画像読取光学系８６が構成されている。
【００２６】
照明ユニット８０は、一例として、光源としての白色発光ダイオード（Ｌｉｇｈｔ  Ｅｍｉｔｔｉｎｇ  Ｄｉｏｄｅ：ＬＥＤ）が複数配列されて構成されている。拡散反射部材８２は、照明ユニット８０から出射された光を原稿面に向けて拡散させながら反射する部材である。ミラー８３、ミラー８４、及びミラー８５は、原稿面から得られた反射光Ｌを画像読取光学系８６に導く部材である。
【００２７】
結像部８７は、原稿面から得られた反射光Ｌの光束（光学像）を、センサ８８での受光に適した形状に整形する機能を有する。結像部８７は、原稿面から得られた光学像を光学的に縮小する結像レンズ（図示省略）含む場合もある。結像部８７の詳細については後述する。
【００２８】
センサ８８は、結像部８７から得られた光学像を光電変換して赤（Ｒ）、緑（Ｇ）、青（Ｂ）の各色信号（画像信号）を生成する機能を有している。センサ８８は、例えば、Ｒ、Ｇ、Ｂの各色用のＸ軸方向に延伸する１次元ラインセンサが、Ｚ軸方向に３列配置された構成とされており、一例としてＣＣＤイメージセンサが用いられる。換言すると、センサ８８は、撮像素子（読取素子）がＸ軸方向に並んで構成されている。
【００２９】
次に、本実施の形態に係る画像読取装置１２において、画像を読み取る手順について説明する。
【００３０】
画像読取装置１２において、プラテンガラス７０上に置かれた原稿を読み取る場合には、図示しない制御部が、読取ユニット７６をスキャン方向（図１矢印Ｃ方向）に移動させる。制御部は、また、読取ユニット７６の照明ユニット８０を発光させ、原稿面に照射する。当該照射により、原稿からの反射光Ｌがミラー８３、ミラー８４、及びミラー８５を経て画像読取光学系８６に導かれる。画像読取光学系８６に導かれた光は、センサ８８の受光面に結像される。センサ８８は、Ｒ、Ｇ、Ｂ各色毎に１ライン分を略同時に読み取る。そして、このライン方向の読み取りを原稿サイズ全体にわたるスキャンによって実行することで、１ページ分の原稿の読み取りを行う。
【００３１】
一方、画像読取装置１２において原稿台６０に置かれた原稿を読み取る場合には、図示しない制御部が、原稿台６０に置かれた原稿を原稿搬送路６１に沿ってプラテンガラス７０の読取位置Ｍに搬送させる。このとき、読取ユニット７６は、図１に示す実線の位置に停止した状態で位置決めされる。制御部は、また、照明ユニット８０を発光させ、原稿面に照射する。これにより、プラテンロール６７によりプラテンガラス７０に密着された原稿の反射光Ｌが、ミラー８３、ミラー８４、及びミラー８５を経て画像読取光学系８６に導かれる。画像読取光学系８６に導かれた光は、センサ８８の受光面に結像される。センサ８８は、Ｒ、Ｇ、Ｂ各色毎に１ライン分を略同時に読み取る。そして、原稿全体をプラテンガラス７０の読取位置Ｍを通過させることによって、１ページ分の原稿の読み取りを行う。
【００３２】
ところで、原稿面から得られた反射光Ｌを、センサ８８での受光に適した形状に整形するための光学系として、予め定められた方向にパワー（光を曲げる強さ）を有する複数の反射型光学系を組み合わせた画像読取光学系を用いる場合がある。複数の反射型光学系を組み合わせた画像読取光学系では、必然的に折返し光路が発生する。一方、画像読取光学系では、光量を調整するため、ＭＴＦ（Ｍｏｄｕｌａｔｅｄ  Ｔｒａｎｓｆｅｒ  Ｆｕｎｃｔｉｏｎ：光学系の伝達関数）を調整するため、焦点深度を深くするため等の理由から絞りを用いるが、この絞りは、センサの長手方向（撮像素子が並ぶ方向、図１のＸ軸方向）及び短手方向（撮像素子が並ぶ方向に直交する方向、図１のＺ軸方向）の両方向に絞る必要がある。反射型光学系が２つの場合を考えると、この場合の絞りは、通常２つの反射型光学系の間に配置させる。なお、以下では反射型光学系を「結像ミラー」という場合がある。
【００３３】
上記のような画像読取光学系の一例である、比較例に係る画像読取光学系２００を図６に示す。図６に示すように、画像読取光学系２００は、結像ミラー１００、結像ミラー１０２、絞り１０４、及びセンサ１０６を備えている。
【００３４】
ここで、画像読取光学系２００を、特に短手方向に縮めて小型化を図ろうとした場合、あるいは精度を向上させようとした場合、つまり、図６における角度θ１、あるいは角度θ２を小さくしようとした場合、絞り１０４によって、結像ミラー１００に入射する光、すなわち、原稿面で得られた反射光Ｌが短手方向で蹴られてしまう場合がある（図６の点線円参照）。絞り１０４は、通常、板状の部材に円等の開口部を設けて作製されるので、長手方向にも短手方向にも一定の大きさが必要になるためである。
【００３５】
そこで、本発明では、光束を長手方向に規制する開口部を有する板状部材に、開口部の長手方向の接線の位置において予め定められた角度で折り曲げた板状片を備えさせることとした。また好適には、該板状片及び該板状片の端部（エッジ）により光束を短手方向に規制することとした。このことにより、短手方向の絞りは、板状片の設定角度が自由となるので、画像読取光学系２００のような折返し光学系において、板状部材が配置された位置より上流の光、あるいは下流の光と干渉しないように配置される。そのため、画像読取光学系が短手方向に縮められるので、光路の折り曲げ角度を深くすることが可能となる。
なお本明細書において、「光束を長手方向に規制する」とは、長手方向に光束が広がらないようにすることを意味する。
【００３６】
図２ないし図４を参照して、本実施の形態に係る画像読取光学系について説明する。図２は、本実施の形態に係る画像読取光学系８６の概略断面図を示している。図２に示すように、画像読取光学系８６は、結像部８７及びセンサ８８を含んで構成されている。また、結像部８７は、結像ミラー９０、結像ミラー９２、及び絞り９４を含んで構成されている。
【００３７】
本実施の形態に係る結像ミラー９０は、原稿面から得られた反射光Ｌを集光し、結像ミラー９２に向けて反射する反射ミラー（本実施の形態では、凹面鏡）である。また、本実施の形態に係る結像ミラー９２は、結像ミラー９０で反射された反射光をセンサ８８に向けて反射する反射ミラー（本実施の形態では、凹面鏡）である。結像ミラー９０と結像ミラー９２との間に配置された絞り９４は、結像ミラー９０で反射された反射光Ｌの光束を長手方向及び短手方向に規制する。
【００３８】
すなわち、本実施の形態に係る絞り９４は、後述する開口部９６、及び絞り片９４ａ、９４ｂ（板状片）を備えることにより、単一の絞りで反射光Ｌの光束を長手方向、及び短手方向の両方向に規制している。なお、以下では、反射光Ｌの光束を長手方向に規制する絞りを「第１の絞り」、短手方向に規制する絞りを「第２の絞り」という場合がある。また、光源から結像ミラー９０までの光、結像ミラー９０から結像ミラー９２までの光、及び結像ミラー９２からセンサ８８までの光の各々を「折返し光」という場合がある。
【００３９】
図３を参照して、本実施の形態に係る絞り９４についてより詳細に説明する。図３（ａ）は、絞り９４を３方向から見た三面図である。図３（ａ）に示すように、絞り９４は、絞り板９４ｃに開口された開口部９６を有し、開口部９６の端部を通る屈曲線Ｓ１、及びＳ２において互いに反対方向に折り曲げられて形成された絞り片９４ａ、及び絞り片９４ｂを備えている。
【００４０】
図３（ｂ）は、図３（ａ）の構成を有する絞り９４において、反射光Ｌの光束を長手方向、及び短手方向に規制する位置を説明する図である。図３（ｂ）に示すように、反射光Ｌの光束の長手方向は、開口部９６の端部Ｅ１、及び端部Ｅ２で規制され、反射光Ｌの光束の短手方向は、開口部９６の端部Ｅ３、及び端部Ｅ４で規制される。すなわち、本実施の形態に係る絞り９４では、開口部９６の端部Ｅ１、及び端部Ｅ２で第１の絞りが形成され、絞り片９４ａ及び絞り片９４ａの端部Ｅ３、並びに絞り片９４ｂ及び絞り片９４ｂの端部Ｅ４によって第２の絞りが形成されている。
【００４１】
再び図２を参照して、絞り９４による短手方向の規制についてより詳細に説明する。図２では、反射光Ｌの光束のＺ軸方向最上端の光線を光線Ｌｕと表記し、最下端の光線を光線Ｌｄと表記している。図２に示すように、本実施の形態に係る画像読取光学系８６では、絞り片９４ａは、結像ミラー９０に入射する折返し光の光線Ｌｄと略平行に配置され、絞り片９４ｂは、結像ミラー９２とセンサ８８との間の折返し光の光線Ｌｕと略平行に配置されている。
【００４２】
上記のように配置された絞り９４は、結像ミラー９０と結像ミラー９２との間の折返し光の光束を、図３（ｂ）に示す端部Ｅ１及びＥ２によって長手方向に規制し、端部Ｅ３及びＥ４によって短手方向に規制している。短手方向の規制は、図２に示す位置Ｐ１において、光線Ｌｕから予め定められた範囲の光束（以下、「上側光束」）を規制し、図２に示す位置Ｐ２において、光線Ｌｄから予め定められた範囲の光束（以下、「下側光束」）を規制することによって行われている。
【００４３】
図４を参照し、画像読取光学系８６について、より詳細に説明する。図４（ａ）は、図２に示す画像読取光学系８６を＋Ｙ方向から見た側面図であり、図４（ｂ）は、図２に示す画像読取光学系８６を−Ｚ方向から見た平面図である。
【００４４】
図４に示すように、反射光Ｌは結像ミラー９０で反射され、反射された折返し光の光束は絞り９４の開口部９６における端部Ｅ１及びＥ２で長手方向（Ｘ軸方向）に規制される。つまり、端部Ｅ１及びＥ２によって第１の絞りが構成されている。一方、結像ミラー９０で反射された折返し光は、絞り９４の絞り片９４ａ及び端部Ｅ３、並びに絞り片９４ｂ及び端部Ｅ４によって短手方向（Ｚ軸方向）に規制される。つまり、端部Ｅ３及びＥ４によって第２の絞りが構成されている。
【００４５】
本実施の形態に係る絞り９４では、絞り片９４ａは光線Ｌｄに略平行に配置され、絞り片９４ｂは、光線Ｌｕに略平行に配置されているので、図４に示すように、絞り片９４ａは結像ミラー９０に入射する折返し光の光束（以下、「上流光束」）と干渉することはなく、また、絞り片９４ｂは結像ミラー９２とセンサ８８との間の折返し光の光束（以下、「下流光束」と干渉することがない。
【００４６】
換言すると、短手方向の絞りの端部Ｅ３、及びＥ４は、上流光束、及び下流光束と干渉しないように配置された絞り片９４ａ、９４ｂの端部（エッジ）で形成されている。そして、絞り片９４ａを、結像ミラー９０と結像ミラー９２との間の光束（以下、「規制光束」）と、上流光束との間に配置させ、絞り片９４ｂを規制光束と、下流光束との間に配置させる。この際、絞り片９４ａと９４ｂとは異なる平面上に配置させる。このことにより、端部Ｅ３、Ｅ４が規制光束に対し垂直に近くなるように配置されるので、焦点深度がより深くなる。
【００４７】
以上の構成を有する絞り９４は短手方向に大きく短縮されるので、本実施の形態に係る画像読取光学系８６は、比較例に係る画像読取光学系２００と比較して短手方向により小型化される。
【００４８】
さらに、絞り片９４ａがＸ軸方向に延伸された板状片で構成されていることから、絞り片９４ａは、上流光束に起因する迷光が、規制光束に入射することを抑制している。すなわち、絞り片９４ａは、迷光を遮光する遮光壁としての機能を有している。同様に絞り片９４ｂは、下流光束に起因する迷光が、規制光束に入射することを抑制しており、絞り片９４ｂも迷光を遮光する遮光壁との機能を有している。
【００４９】
なお、本実施の形態では、絞り９４に両方の絞り片９４ａ及び９４ｂを形成する形態を例示して説明したが、これに限られず、規制対象となる光束の状態等に応じて、絞り片９４ａ及び９４ｂのいずれか一方を形成する形態としてもよい。
【００５０】
また、本実施の形態では、開口部９６の端部に一致する屈曲線Ｓ１、Ｓ２で板状部材を折り、絞り片９４ａ及び９４ｂを形成する形態を例示したが、これに限られず、開口部９６のさらに内側に位置する屈曲線、すなわち図３（ａ）に示す屈曲線Ｓ３、Ｓ４で折り、絞り片９４ａ及び９４ｂを形成してもよい。
【００５１】
また、上記実施の形態では、図２に示すように、絞り板９４ｃを規制光束の光軸に略垂直になるように絞り９４を配置する形態を例示して説明したが、これに限られず、絞り板９４ｃを規制光束の光軸に対し傾けて絞り９４を配置してもよい。図５は、図２に示す絞り９４を角度θだけ傾けて配置した形態の画像読取光学系８６Ａ、及び結像部８７Ａを例示している。図５では、絞り９４を傾けたことにより、絞り片９４ａが上流光束と平行ではなく、絞り片９４ｂが下流光束と平行でなくなっているが、むろん各々が平行な関係となるように、絞り片９４ａ及び９４ｂの絞り板９４ｃに対する角度を変えてもよい。
【００５２】
さらに、上記実施の形態では略矩形形状の開口部９６を有する絞り９４を例示して説明したが、これに限られず、開口部の形状は規制対象となる光束の断面形状等を勘案して円形状、楕円形状、三角形状等、他の形状としてもよい。この場合、屈曲線Ｓ１、Ｓ２の位置は、該開口部に対する長手方向（Ｘ軸方向）の接線の位置とすればよい。
【００５３】
なお、上記実施の形態では、画像読取光学系を構成する反射ミラーとして、予め定められた方向にパワーを有する結像ミラー９０及び９２（本実施の形態では、凹面鏡）を用いる形態を例示して説明したが、これに限られず、例えば平面ミラーを用いる形態としてもよい。例えば、結像ミラー９０と結像ミラー９２との間に平面ミラーを配置すると、光路が折り返されて画像読取光学系８６のＹ軸方向の長さが短縮され、より小型化される。
【００５４】
また、画像読取光学系を構成する反射ミラーとして、予め定められた方向にパワーを有する結像ミラー９０及び９２を用いる場合、結像ミラー９０及び９２のパワーの方向は、それぞれ長手方向であってもよいし、短手方向であってもよい。また、結像ミラー９０及び９２の双方にパワーをもたせてもよいし、いずれか一方にのみパワーをもたせてもよい。
【００５５】
また、上記実施の形態では２つの結像ミラー（結像ミラー９０、結像ミラー９２）を用いる形態を例示して説明したが、これに限られず、３つ以上の結像ミラーを用いる形態としてもよい。例えば、ミラー８５と結像ミラー９０との間、あるいは結像ミラー９２とセンサ８８との間にさらに１つ以上の結像ミラーを配置して進行する光を折り返す形態としてもよい。
【００５６】
さらに、絞りの前後にそれぞれ正のパワー（集光光学系）を持ったミラーが必要となるが、その間に負のパワー（拡大光学系）が存在しても良い。必要な条件としては、少なくとも、絞りの前（光路上の上流側）にトータルで正のパワーを持った光学系または光学系群があり、絞りの後（光路上の下流側）にトータルで正のパワーを持った光学系または光学系群があればよいことは、絞りという既存技術を理解する当業者には当然の事項である。したがって、本発明の実施に当たり、ミラーの並び順や複数のミラーのそれぞれについてパワーの符号は自由であり、例えば絞りの直前に負のパワーを有したミラーが存在したとしても、問題なく実施ができることは、当業者には容易に理解される事項である。
【符号の説明】
【００５７】
１２    画像読取装置
５０    自動原稿送り装置
５２    画像読取処理部
６０    原稿台
６１    原稿搬送路
６２    排出台
６３    用紙送出ロール
６４    送出ロール
６５    プリ位置合わせロール
６６    位置合わせロール
６７    プラテンロール
６８    アウトロール
６９    排出ロール
７０    プラテンガラス
７５    筐体
７６    読取ユニット
８０    照明ユニット
８２    拡散反射部材
８３、８４、８５  ミラー
８６    画像読取光学系
８７    結像部
８８    センサ
９０、９２  結像ミラー
９４    絞り
９４ａ、９４ｂ  絞り片
９４ｃ  絞り板
９６    開口部
１００、１０２  結像ミラー
１０４  絞り
１０６  センサ
２００  画像読取光学系
Ｅ１、Ｅ２、Ｅ３、Ｅ４  端部
Ｌ      反射光
Ｌｕ、Ｌｄ  光線
Ｍ      読取位置
Ｐ１、Ｐ２  位置
Ｓ１、Ｓ２、Ｓ３、Ｓ４  屈曲線
【図１】
2018006794.tif 000003
【図２】
2018006794.tif 000004
【図３】
2018006794.tif 000005
【図４】
2018006794.tif 000006
【図５】
2018006794.tif 000007
【図６】
2018006794.tif 000008